(57)【要約】      （修正有）【課題】非力な老人や子供でもタブのリングを使用して缶の蓋をスコアに沿って開口することのできるプルトップオープナーを提供する。【解決手段】プルトップオープナーの固定部は逆Ｕ字型として、前固定部と後固定部を設ける。缶詰を取り囲む防水カバーを前固定部に開閉自在に設ける。開口するイージーオープン缶の淵に前固定部の裏面の缶固定部を固定して、タブのリングを引っ掛ける一体型で成形されたタブのリング挿入部とリング挿入操作部はプルトップ引っ掛け部と称する。開口移動部は回転自在となる螺子を開口部の開口移動保持孔で保持して、ハンドルと一体型で成形された開口部は、ハンドル操作の支点となる開口支点部を支持して回転できるように開口支点部螺子で支えられる構成である。【選択図】図６
0003164733.tif 000002
【実用新案登録請求の範囲】
【請求項１】
開口するイージーオープン缶（５０）は蓋面にリベット（５３）でリング（５４）を有したプルトップタブ（５２）が固着されていて、非力な老人や子供でもタブのリング（５４）を使用して缶の蓋をスコア（５１）に沿って開口することのできるプルトップオープナーであって、当該プルトップオープナー（１００）を固定するに固定部を逆Ｕ字型として、逆Ｕ字型の固定部に前固定部（８１）と後固定部（８５）を設けて、前固定部（８１）の裏面に缶固定部（８２、８３）と、後固定部（８５）の裏面に固定部と開口支点部螺子（６８）を設けて、開口した缶の水分の飛び散りを防止するに缶を取り囲む防水カバー（９０）を開閉自在となるように前固定部（８１）に防水カバー（９０）を装着ピン（９１）で差し込んで装着できるように設けて、
開口するタブのリング（５４）に挿入して引っ掛けるタブのリング挿入部（６１）はリング挿入操作部（６４）と一体型で成形されプルトップ引っ掛け部（６９）と称され、ハンドル（６０）は、開口部（６２）と開口支点部（６３）と開口移動保持孔（６７）を一体型で成形され、ハンドル（６０）操作の支点となる開口支点部（６３）は支持され回転できるように開口支点部螺子（６８）で支えられて、
プルトップ引っ掛け部（６９）を固着して保持する開口移動部（６５）と、開口移動部（６５）を保持して回転自在となる螺子（６６）は開口移動保持孔（６７）で保持した構成であることを特徴とするプルトップオープナー。
【考案の詳細な説明】
【技術分野】
【０００１】  本考案は、飲料用缶や食品の缶詰にプルトップが多く使用されている。プルトップに指を掛けて引っ張り缶に設けられているスコアに沿って開封する。一般的にはプルトップ式缶詰と言われている。製缶業界では、イージーオープンエンドと言われている。イージーオープンエンドは２種類がありパーシャルオープンエンドと、フルオープンエンドがある。
パーシャルオープンエンドは缶ジュース等の飲料向けに使用され蓋の一部のみが開口する。フルオープンエンドはイージーオープン缶と言われ缶の蓋の概略全面が外れる方式である。どちらの缶もプルトップに指を掛けるとき、爪を傷めること、イージーオープン缶を開口した蓋で怪我をするので自治体で警告を発している。無力な老人や子供でも安全に使用できるプルトップオープナーに関するものである。
【背景技術】
【０００２】  プルトップ付固形物密閉缶を対象とし、安全、簡便且つ迅速に密閉缶上面蓋を剥離させる缶オープナーを提供する。  構成は、棒状Ｌ字型主杵１とその一方端に延設される握手２、及び主杵中央域より特設されるＬ字鈎状プルトップタブ抉楊杆３による３部財により構成され、密封缶開封時の一連の動作に対し、異なる径の密閉缶Ｃの上面Ｑの剥離を容易に行なえるよう、主杵端域１ａには缶周縁辺Ｓに噛合させ抉楊支点となる鋸歯状凹部４が備えられるとともに、密閉缶開封及び缶上面Ｑの抉開剥離を容易に行なえるよう、Ｌ字鈎状プルトップタブ抉楊杆３にはプルトップタブＳを鈎持する底部３ｃが形成され、その開放端３ａは１〜２ｍｍ程の厚みを有し、これより鈎状部の奥方向に向うテーパ面３ｂが形成されている。（例えば、特許文献１参照）。【０００３】  イージーオープン缶を容易に、特に円滑に開口することが出来る缶オープナーを提供する。それは、イージーオープン缶の缶蓋２１に取り付けられているタブ２２に開口動作を与える缶オープナー１であって、タブ２２のリング２５に差し込み可能な差込舌片２と、差込舌片２の後方に配置されていて缶蓋２１上を転動可能な転動部３と、及び手指で把持可能な把持部４とを備える。この発明によれば、イージーオープン缶における初期開口の形成及びスコアーの引き裂きの両方を同一の器具で行なうことができるので、部材数が少なくてすみ、取り扱いが容易である。開口は、てこ作用を利用して行なうので開口部に拡大された静的な大きな力を作用させることができ、開口動作がきわめて円滑になる。こうしてこの発明では、イージーオープン缶を容易に、特に円滑に開口することができる缶オープナーを得ることができる。（例えば、特許文献２参照）。【０００４】  イージーオープン缶（プルトップ式缶詰）は、便利さが受け多種多用な缶詰に利用されている。この容易さが缶詰を開ける際の事故に繋がっており、当センターに毎年相談が寄せられている。その中で多いのが「開けにくかったので力を入れたら一気に開き、缶を押さえていた手を数針縫う怪我をした」というものである。缶に記載してある説明をよく読まないで操作をされたことによる。缶の開け方により、どのような違いがあるかテストしたので情報提供をする。（例えば、非特許文献１参照）。
【先行技術文献】
【特許文献】
【０００５】
【特許文献１】  特開平１０−１７５６９９号
【特許文献２】  特開２００４−５９０９９号
【非特許文献】
【０００６】
【非特許文献１】  東京都消費者生活総合センター  事故防止テスト・シリーズ（１４−２）  イージーオープン缶は１・２・３で  −怪我をしないためのポイントー（表紙を含めて全６頁）
【考案の概要】
【考案が解決しようとする課題】
【０００７】  パーシャルオープンエンドは缶ジュース等の飲料向けに使用され蓋の一部のみが開口する。フルオープンエンドはイージーオープン缶と言われ缶の蓋の概略全面が外れる方式である。どちらの缶もプルトップに指を掛けるとき、爪を傷めること、イージーオープン缶を開口した蓋で怪我をする恐れがある。缶の蓋に設けられたスコア形状といわれる切込みに沿って開口させられる。プルトップのタブのリングに指を引っ掛け缶の上蓋全体を開口したときパカッと音を立てるので「パッ缶」の愛称で呼んでいる企業がある。
特にイージーオープン缶を開口するには、力が必要で老人や子供では、力が不足して開口できない。また、成人の健常者であっても、開口した缶の上蓋の淵や、缶の内淵で怪我をしやすい。
日本の食缶規格の１号缶〜２号缶、平１号缶〜平２号缶、かに２号缶、マッシュルーム４号缶、ツナ１号缶、ツナ２号缶、ツナ２キロ缶、ポケット２号缶、ポケット３号缶、その他缶で内径が８０ｍｍ以上の缶に、タブが付けられているか不明であるが、イージーオープン缶となっているのであれば、内径の大きい缶ほど、開口するには力がいる。無力な老人や子供でも安全に使用できる用具があればよい。【０００８】  缶オープナーを３種類提案されている（特許文献１の場合）。
棒状Ｌ字型主杵１とその一方端に延設される握手２、及び主杵中央域より特設されるＬ字鈎状プルトップタブ抉楊杆３による３部財により構成されている。
主杵中央域より特設されるＬ字鈎状プルトップタブ抉楊杆３の先端部分はテーパ面３ｂが形成されている。当該テーパ面３ｂを缶のタブに差し込むことは、成人の健常者には簡単でも老人や子供では、無理がある。タブに差し込が出来たとして、抉楊支点となる鋸歯状凹部４を缶に当て、動かないようにして、てこの利用で握手２を引き上げると理解してくれたとき、缶の蓋をタブと共に上蓋の全面が外れるように缶の中身が飛び出さないようにすることは容易ではない。当該提案には１、開けようとする缶の位置決めが容易であること、２、タブにテーパ面３ｂが容易に差し込むことが出来ること、３、タブの位置決めができたあと容易に力を入れなく操作して開封できることの解決策がいる。【０００９】  製缶業社の提案で、缶オープナーを２種類提案されている（特許文献２の場合）。
イージーオープン缶の缶蓋２１に取り付けられているタブ２２に開口動作を与える缶オープナー１であって、タブ２２のリング２５に差し込み可能な差込舌片２と、差込舌片２の後方に配置されていて缶蓋２１上を転動可能な転動部３と、及び手指で把持可能な把持部４とを備える。
この発明によれば、イージーオープン缶におけるタブ２２のリング２５に差込舌片２で差し込んで初期開口の形成ができて、その状態から缶の全体を引き裂くことができるので、部材数が少なくてすみ、取り扱いは成人の健常者であれば容易である。開口は、てこ作用を利用して行なうので開口部に拡大された静的な大きな力を作用させることができ、開口動作が成人の健常者であれば円滑できる。こうしてこの発明では、イージーオープン缶を容易に、円滑に成人の健常者であれば開口することができる缶オープナーを得ることになっている。老人や子供には、無理がある。差込舌片２でタブに差し込が出来たとして、缶を動かないようにして、差込舌片２をリング２５に差し込んだ状態で、てこの利用で缶オープナー１を回転させるとき力がいるので無理である。
缶の蓋をタブと共に上蓋の全面が外れて、缶の中身が飛び出さないようにすることは老人や子供には無理がある。当該提案には１、開けようとする缶の位置決めが容易であること、２、差込舌片２がタブに容易に差し込むことが出来ること、３、タブの位置決めができたあと開封するために力がいる。力を入れなく操作して開缶できることの解決策がいる。１号缶、２号欧缶では成人の健常者でも無理がある。【００１０】  イージーオープン缶の苦情から事故を発生させない正しい開口の仕方や、リベット、タブ、タブのリング、スコア等缶の蓋と、正しい缶の開口の仕方等が説明され、タブリングを９０度までしっかり引き上げることが最も力の掛からない状態であること、開口力のテストも行なわれＡ社の缶のタブのリングを９０度としたとき開口できる力は５３Ｎ（Ｎ：ニュートン）であり、Ｂ社の缶では２４Ｎであることの説明がされている。缶を開口するに缶の製造メーカにより開口に力のばらつきがある。開口用具を考案するに大変有効な東京都消費者生活総合センターの文献である。（非特許文献１の場合）。
【課題を解決するための手段】
【００１１】  開口するイージーオープン缶５０は蓋面にリベット５３でリング５４を有したプルトップタブ５２（以下  タブと称する）が固着されていて、非力な老人や子供でもタブのリング５４を使用して缶の蓋をスコア５１に沿って開口することのできるプルトップオープナーであって、当該プルトップオープナー１００を固定するに固定部を逆Ｕ字型として、逆Ｕ字型の固定部に前固定部８１と後固定部８５を設ける。前固定部８１の裏面に缶固定部８２、８３と、後固定部８５の裏面に固定部と開口支点部螺子６８を設ける。開口した缶の水分の飛び散りを防止するに缶を取り囲む防水カバー９０を開閉自在となるように前固定部８１に防水カバー９０を差し込んで装着する装着ピン９１を設ける。
開口するイージーオープン缶５０のタブのリング５４に挿入して引っ掛けるタブのリング挿入部６１はリング挿入操作部６４と一体型で成形されプルトップ引っ掛け部６９と称される。
ハンドル６０は、開口部６２と開口支点部６３と開口移動保持孔６７を一体型で成形される。ハンドル６０操作の支点となる開口支点部６３は支持され回転できるように開口支点部螺子６８で支える。
プルトップ引っ掛け部６９を固着して保持する開口移動部６５と、開口移動部６５を保持して回転自在となる螺子６６は開口移動保持孔６７で保持する構成である。
【考案の効果】
【００１２】  開口するイージーオープン缶は蓋面にリベットでリングを有したプルトップタブが固着されていて、非力な老人や子供でもタブのリングを使用して缶の蓋をスコアに沿って開口することのできるプルトップオープナーであって、当該プルトップオープナーを固定するに固定部を逆Ｕ字型として、逆Ｕ字型の固定部に前固定部と後固定部を設ける。前固定部の裏面に缶固定部と、後固定部の裏面に固定部と開口支点部螺子を設ける。開口した缶の水分の飛び散りを防止するに缶を取り囲む防水カバーを開閉自在となるように前固定部に防水カバーを差し込んで装着する装着ピンを設ける。
開口するイージーオープン缶のタブのリングに挿入して引っ掛けるタブのリング挿入部はリング挿入操作部と一体型で成形されプルトップ引っ掛け部と称される。
ハンドルは、開口部と開口支点部と開口移動保持孔を一体型で成形される。ハンドル操作の支点となる開口支点部は支持され回転できるように開口支点部螺子で支える。
プルトップ引っ掛け部を固着して保持する開口移動部と、開口移動部を保持して回転自在となる螺子は開口移動保持孔で保持する構成であるので、当該プルトップオープナーを使用することで、近年特にペットブームで使用するペットの餌缶等プルトップで開ける缶がとても増えている。お年寄りや、お体の不自由な方や、子供そして、爪のケアをしている女性等はプルトップ方式の缶を開口するのに力不足で開口できないこと、爪を損傷することで大変である等の課題は解消した。
老人ホーム等で使用されると開口に力が要らないので助かる。缶を開けることの多い飲食業者やペット販売業者が爪を傷めずにすむ。
当該プルトップオープナーは、弱い力でも開口できるように、開口の際、ハンドルを回転させるにタブリングを９０度近くまで引き上げて開口する力の作用を計算されているので弱い力でハンドルを半回転することで簡単に開口できる優れものである。
缶の蓋を開口するときに起こる液漏れは開口した缶の水分飛び散りを防止するに缶を取り囲む防水カバーが開閉自在となるように前固定部に防水カバーの装着ピンを差し込んで防水できるので液や水分の飛び散りは無くなる。
【図面の簡単な説明】
【００１３】
【図１】  本考案の実施の形態を示すため防水カバーを取り外した状態のプルトップオープナーの正面図と、操作の第１段階を示した図である。
【図２】  図１の逆Ｕ字型の固定部を外した正面図で、プルトップオープナーの操作の第２段階を示した図である。
【図３】  図１の逆Ｕ字型の固定部を外した正面図で、プルトップオープナーの操作の第３段階を示した図である。
【図４】  図１の逆Ｕ字型の固定部を外した正面図で、プルトップオープナーの操作の第４段階を示した図である。
【図５】  図１の逆Ｕ字型の固定部を外した正面図で、プルトップオープナーの操作の第５段階を示した図である。
【図６】  図１の実施の形態を示すため防水カバーを装着した状態のプルトップオープナーの正面図を示した図である。
【図７】  図１の実施の形態を示すためプルトップオープナーの缶固定部と、防水カバーと、一体型をしたタブのリング挿入部と、操作部と、開封するイージーオープン缶の平面図を示した図である。
【考案を実施するための形態】
【００１４】    以下、本考案の実施の形態を図１〜図７に基づいて説明する。
【実施例】
【００１５】  図１は、本考案の実施の形態を示すため防水カバーを取り外した状態のプルトップオープナーの正面図と、操作の第１段階を示した図である。
開口するイージーオープン缶５０は蓋面にリベット５３でリング５４を有したプルトップタブ５２（以下  タブと称する）が固着されていて、非力な老人や子供でもタブのリング５４を使用して缶の蓋をスコア５１に沿って開口することのできるプルトップオープナーであって、当該プルトップオープナー１００は、開口するイージーオープン缶５０のタブのリング５４に挿入して引っ掛けるタブのリング挿入部６１はリング挿入操作部６４と一体型で成形されプルトップ引っ掛け部６９と称される。
ハンドル６０は、開口部６２と開口支点部６３と開口移動保持孔６７を一体型で成形される。ハンドル６０操作の支点となる開口支点部６３は支持され回転できるように開口支点部螺子６８で支える。
プルトップ引っ掛け部６９を固着して保持する開口移動部６５と、開口移動部６５を保持して回転自在となる螺子６６は開口移動保持孔６７で保持する構成である。
操作の第１段階は、プルトップオープナー１００を開口するイージーオープン缶５０の蓋面に固着したプルトップタブ５２のリベット５３側の缶の淵５１に缶固定部８２を固定して、タブのリング５４に挿入して引っ掛けるように操作部６５と一体型をしたタブのリング挿入部６１であるプルトップ引っ掛け部６９を目的の位置に置く、ハンドル６０の操作はしない。【００１６】  図２は、図１の逆Ｕ字型の固定部を外した正面図で、プルトップオープナーの操作の第２段階を示した図である。
操作を説明するために、図１のプルトップオープナー１００の逆Ｕ字型の固定部を外した正面図である。
操作の第２段階は、開口するイージーオープン缶５０のタブのリング５４に挿入して引っ掛けるリング挿入部６１はリング挿入操作部６４で操作されて、開口するイージーオープン缶５０のタブのリング５４にリング挿入部６１を挿入して引っ掛けている。ハンドル６０の操作はしない。【００１７】  図３は、図１の逆Ｕ字型の固定部を外した正面図で、プルトップオープナーの操作の第３段階を示した図である。
操作を説明するために、図１のプルトップオープナー１００の逆Ｕ字型の固定部を外した正面図である。
操作の第３段階は、プルトップオープナー１００のタブのリング挿入部６１を開口するイージーオープン缶５０のタブのリング５４に引っ掛けてあるのでハンドル６０を操作して、プルトップのタブ５２を引っ張る。ハンドル６０を操作すると開口のとき最も少ない力で済むように９０度になる。【００１８】  図４は、図１の逆Ｕ字型の固定部を外した正面図で、プルトップオープナーの操作の第４段階を示した図である。
操作を説明するために、図１のプルトップオープナー１００の逆Ｕ字型の固定部を外した正面図である。
操作の第４段階は、ハンドル６０を操作すれば、開口するイージーオープン缶５０が最も少ない力で済むようにプルトップのタブ５２は９０度になるので、開口するにはハンドル６０を操作してハンドル６０を倒して行けば、イージーオープン缶５０はスコア５１に沿って蓋が開口する。図は、ハンドル６０位置と、イージーオープン缶５０が半開きの状態を示す。【００１９】  図５は、図１の逆Ｕ字型の固定部を外した正面図で、プルトップオープナーの操作の第５段階を示した図である。
操作を説明するために、図１のプルトップオープナー１００の逆Ｕ字型の固定部を外した正面図である。
操作の第５段階は、ハンドル６０を無造作に倒して操作すれば、開口するイージーオープン缶５０が開口する。プルトップオープナー１００を外せば、缶の蓋はリング挿入部６１に引っかかり、怪我をすることなくイージーオープン缶５０の開口は終了する。【００２０】  図６は、図１の実施の形態を示すため防水カバーを装着した状態のプルトップオープナーの正面図を示した図である。
当該プルトップオープナー１００を固定するに固定部を逆Ｕ字型として、逆Ｕ字型の固定部に前固定部８１と後固定部８５を設ける。前固定部８１の裏面に缶固定部８２、８３と、後固定部８５の裏面に固定部と開口支点部螺子６８を設ける。開口した缶の水分の飛び散りを防止するに缶を取り囲む防水カバー９０が缶の周囲を自在に開いて、囲めるように開閉自在となるように前固定部８１に防水カバー９０を差し込んで装着する装着ピン９１を設ける。
当該缶オープナー１００の材質は、ステンレスやアルミニユウムを使用している。または、防水カバー９０にプラスチックを材質として使用してもよい。缶オープナー１００の部品の適材箇所に、ステンレスとアルミニユウムと、プラスチックを使用してもよい構成のプルトップオープナーである。【００２１】  図７は、図１の実施の形態を示すためプルトップオープナーの缶固定部と、防水カバーと、一体型をしたタブのリング挿入部と、操作部と、開口するイージーオープン缶の平面図を示した図である。
開口するイージーオープン缶５０はタブ５２がリベット５３で固着されている。タブ５２は、リング５４が設けられている。リング５４に指を入れ引っ張るとスコア５１に沿って蓋が外れる仕掛けになっている。プルトップオープナー１００を用いるときは、前固定部８１の裏に設けた爪状の缶固定部８２を缶の淵５１に固定する。固定する箇所は、タブ５２がリベット５３で固着されている缶の淵５１がよい。開口するイージーオープン缶５０の水分飛び散りを防止するに防水カバー９０で缶を取り囲むように設けてある。防水カバー９０が缶の周囲を自在に開いて、囲めるように開閉自在となるように前固定部８１に防水カバー９０を差し込んで装着できる装着ピン９１を設けてある構成である。
【産業上の利用可能性】
【００２２】  缶オープナー製造業界と、製缶業界と、食品業界と、ブリーダー業界と、食事を提供する業界、学校と、老人ホームと、家庭等広く利用される。
【符号の説明】
【００２３】  ５０  イージーオープン缶
５１  缶の淵
５２  タブ
５３  リベット
５４  リング
６０  ハンドル
６１  リング挿入部
６２  開口部
６３  開口支点部
６４  リング挿入操作部
６５  開口移動部
６６  螺子
６７  開口移動保持孔
６８  開口支点部螺子
６９  プルトップ引っ掛け部
８１  前固定部
８２、８３  缶固定部
８５  後固定部
８６  開口支点部
９０  防水カバー
９１  装着ピン
１００  プルトップオープナー
【図１】
0003164733.tif 000003
【図２】
0003164733.tif 000004
【図３】
0003164733.tif 000005
【図４】
0003164733.tif 000006
【図５】
0003164733.tif 000007
【図６】
0003164733.tif 000008
【図７】
0003164733.tif 000009